(57)【要約】【課題】不正器具をメダル投入口に挿入してメダル検知センサを誤作動させる不正行為を防止する。【解決手段】スロットマシンでは、第１メダル検知センサからの信号に基づいて、正規なメダルが投入されたか否か判定する。そして、正規なメダルが投入されたと判定されると、このメダルが連続投入された２０枚目のメダルであるか否かが調べられる。そして、２０枚目のメダルである場合は、このメダルを追従するように第２メダル検知センサが第１位置から第２位置へと向けて移動される。そして、この間、第２メダル検知センサが継続してオンであった場合に、正規なメダルが投入されたと判定され、このメダルが、遊技に使用可能なメダルとしてカウントされる。【選択図】図８
2010207364.tif 000002
【特許請求の範囲】
【請求項１】
メダル投入口から投入されたメダルが流下するメダル通路と、
前記メダル通路を流下するメダルを検知する第１メダル検知センサと、
前記第１メダル検知センサよりも前記メダル通路の下流側に配置されて前記メダル通路を流下するメダルを検知するとともに、メダルの流下方向に沿ってスライド自在に設けられた第２メダル検知センサと、
前記メダル通路を流下するメダルを追従するように、前記第２メダル検知センサを前記メダル通路の上流側から下流側へ移動させるセンサ駆動手段と、
前記第２メダル検知センサの移動中に前記第２メダル検知センサがメダルを検知できなくなったときに不正と判定する不正判定手段とを備えたことを特徴とする遊技機。
【請求項２】
前記センサ駆動手段は、前記第１メダル検知センサにより予め設定された所定枚数のメダルが連続して投入されたことが検知された際に、前記第２メダルセンサを移動させることを特徴とする請求項１記載の遊技機。
【請求項３】
前記第１メダル検知センサは、上流側センサと下流側センサとからなり、各センサのメダル検知タイミング、及び、メダル検知時間に基づいて、正規なメダルが投入されたか否かを検知し、
前記不正判定手段は、前記第１メダル検知センサにより正規なメダルが検知され、かつ、前記第２メダル検知センサの移動中に前記第２メダル検知センサがメダルを継続して検知した際に不正行為が行われていないと判定することを特徴とする請求項１または２記載の遊技機。
【発明の詳細な説明】
【技術分野】
【０００１】
本発明は、パチンコ店などの遊技場で用いられるスロットマシンなどの遊技機に関するものである。
【背景技術】
【０００２】
メダル投入口にメダルを投入して遊技を行うスロットマシンが広く知られている。スロットマシンは、メダル検知センサを備えている。メダル検知センサは、メダル投入口に投入されたメダルが流下されるメダル通路に配置されている。一般に、メダル検知センサは、発光部と受光部とを備えた赤外線センサからなり、発光部からの赤外光がメダル通路を横切って受光部に入射するように（メダルがメダル通路を通過する過程で発光部からの赤外光がメダルに遮られて受光部に到達ない状態が生じるように）構成されている。そして、メダル検知センサは、発光部からの赤外光を受光部が受光できたか否かに基づいて、メダル投入口にメダルが投入されたことを検知している。
【０００３】
しかし、遊技者の中には、不正器具をメダル通路に挿入し、メダル検知センサを誤作動させることで、メダルを投入せずに遊技を行う者もあり対策が求められていた。このような不正器具は、メダル通路に挿入された際にメダル検知センサの受光部と対面するように、セルロイド板などの先端に発光部が設けられており、この発光部からメダル検知センサの受光部へ向けて赤外光を発光することでメダル検知センサを誤作動させるものである。
【０００４】
このような不正器具を用いた不正行為を防止するため、下記特許文献１には、発光部からの赤外光を変調させ、この変調に対応していない赤外光を受光部が受光した際に、不正が行われたと判定する例が記載されている。
【先行技術文献】
【特許文献】
【０００５】
【特許文献１】特開２００６−０５５１８１
【発明の概要】
【発明が解決しようとする課題】
【０００６】
しかしながら、近年、セルロイド板などの先端に発光部と受光部とが設けられ、メダル検知センサからの赤外光を受光して、受光した赤外光に同調させた赤外光を発光させることによってメダル検知センサを誤作動させる不正器具が開発され、上記特許文献１に記載された装置ではこのような不正器具を用いた不正行為を防止できないといった問題があった。
【０００７】
本願発明は上記背景を鑑みてなされたものであり、不正器具によりメダル検知センサを誤作動させるといった不正行為を防止できる遊技機を提供することを目的としている。
【課題を解決するための手段】
【０００８】
上記目的を達成するために、本発明の遊技機は、メダル投入口から投入されたメダルが流下するメダル通路と、前記メダル通路を流下するメダルを検知する第１メダル検知センサと、前記第１メダル検知センサよりも前記メダル通路の下流側に配置されて前記メダル通路を流下するメダルを検知するとともに、メダルの流下方向に沿ってスライド自在に設けられた第２メダル検知センサと、前記メダル通路を流下するメダルを追従するように、前記第２メダル検知センサを前記メダル通路の上流側から下流側へ移動させるセンサ駆動手段と、前記第２メダル検知センサの移動中に前記第２メダル検知センサがメダルを検知できなくなったときに不正と判定する不正判定手段とを備えたことを特徴としている。
【０００９】
前記センサ駆動手段は、前記第１メダル検知センサにより予め設定された所定枚数のメダルが連続して投入されたことが検知された際に、前記第２メダルセンサを移動させることが好ましい。
【００１０】
また、前記第１メダル検知センサは、上流側センサと下流側センサとからなり、各センサのメダル検知タイミング、及び、メダル検知時間に基づいて、正規なメダルが投入されたか否かを検知し、前記不正判定手段は、前記第１メダル検知センサにより正規なメダルが検知され、かつ、前記第２メダル検知センサの移動中に前記第２メダル検知センサがメダルを継続して検知した際に不正行為が行われていないと判定することが好ましい。
【発明の効果】
【００１１】
本発明によれば、第１メダル検知センサの下流側に第２メダル検知センサを配置し、この第２メダル検知センサをメダルの移動に合わせて移動させ、この移動中にメダルを検知できなくなったときに不正と判定するようにしたので、不正器具によりメダル検知センサを誤作動させるといった不正行為を防止できる。すなわち、メダル検知センサを誤作動させるためには、不正器具の先端部の発光部や受光部をメダル検知センサの移動に合わせて移動させる必要があるが、このように構成すると不正器具の先端部が大型化してメダル投入口から投入できなくなる。よって、不正器具によりメダル検知センサを誤作動させるといった不正行為を防止できる。
【００１２】
また、メダルの通過毎に第２メダル検知センサを移動させる場合、複数枚のメダルが連続投入されると、下流側へ移動したメダル検知センサを短時間で元の位置まで戻す必要があり、第２メダル検知センサをメダルの動きに追従させることが困難であるといった問題があるが、予め設定された所定枚数のメダルが連続して投入されたことが第１メダルセンサにより検知された際に、第２メダルセンサを移動させれば、上述した問題を防止できる。
【００１３】
さらに、第１メダル検知センサを上流側と下流側の２つのセンサから構成し、第１メダル検知センサにより正規なメダルが検知され、かつ、第２メダル検知センサの移動中に第２メダル検知センサがメダルを継続して検知した際に不正でないと判定することによって、より確実に不正行為を防止できる。
【図面の簡単な説明】
【００１４】
【図１】スロットマシンの外観図である。
【図２】下扉を開放した状態を示すスロットマシンの外観図である。
【図３】メダル通路の外観図である。
【図４】第２メダル検知センサが第１位置に移動された状態を示す説明図である。
【図５】第２メダル検知センサが第２位置に移動された状態を示す説明図である。
【図６】スロットマシンの電気的な構成の概略を示すブロック図である。
【図７】正規なメダルが投入されたときの上流側、下流側の各センサのオンオフの変化を示す説明図である。
【図８】不正が検知される流れを示すフローチャートである。
【発明を実施するための形態】
【００１５】
図１に示すように、スロットマシン（遊技機）１０は、スロットマシン本体１２と、スロットマシン本体１２の前面に回動自在に軸着された前面扉１４とから構成される。前面扉１４は、上扉１４ａと下扉１４ｂとからなり、これらは個別に開放できる。
【００１６】
上扉１４ａには、表示窓１６が設けられている。表示窓１６の奥には、第１リール１８ａ、第２リール１８ｂ、第３リール１８ｃが配置されている。第１〜第３の各リール１８ａ〜１８ｃの外周面には、複数種類の図柄が配列されており、各リール１８ａ〜１８ｃが停止すると１リール当たり３個の図柄が表示窓１６から表示される。スロットマシン１０では、表示窓１６から表示された図柄の組み合わせによって当選役抽選の結果が報知され、図柄が揃って当選役が入賞すると、規定枚数のメダルが払い出される。
【００１７】
また、上扉１４ａには、液晶ディスプレイ２０、スピーカ２２が設けられている。液晶ディスプレイ２０は、各種演出画像を表示して遊技を演出する他、後述する報知メッセージを表示する。スピーカ２２は、各種演出音を出力して遊技を演出する他、後述する報知音を出力する。
【００１８】
下扉１４ｂには、メダルを投入するためのメダル投入口２４、各リール１８ａ〜１８ｃの回転を開始させるスタートレバー２８、各リール１８ａ〜１８ｃの回転を停止させるための第１ストップボタン３０ａ、第２ストップボタン３０ｂ、第３ストップボタン３０ｃが設けられている。また、下扉１４ｂには、メダルが払い出される払い出し口３２と、払い出し口３２から払い出されたメダルを貯留する受け皿３４とが設けられている。
【００１９】
図２に示すように、スロットマシン本体１２には、ホッパ装置３６が設けられている。また、下扉１４ｂには、メダル投入口２４から投入されたメダルをホッパ装置３６に案内するメダル通路３８と、メダル通路３８の下方に配置され、払い出し口３２に接続された払い出しシュート３９とが設けられている。ホッパ装置３６は、メダル通路３８によって案内されたメダルを貯留する貯留箱３６ａと、貯留箱３６ａに貯留されたメダルを払い出しシュート３９を介して受け皿３４に払い出す払い出し装置３６ｂとから構成される。
【００２０】
図３に示すように、メダル通路３８は、略垂直な垂直通路３８ａと、略水平な水平通路３８ｂとを備えたおり、水平通路３８ｂには、セレクタ４０、第１メダル検知センサ４１、第２メダル検知センサ４２が設けられている。
【００２１】
セレクタ４０は、図３に実線で示す抑え位置と、図３に一点鎖線で示す落下位置との間で移動自在に設けられている。水平通路３８ｂは、図３の手前側に傾けられており（上端部が下端部よりも手前側に位置しており）、セレクタ４０が抑え位置に移動されると、水平通路３８ｂを通過するメダルの上部が抑えられ、メダルが落下することなく水平通路３８ｂを通過できる。他方、セレクタ４０が落下位置に移動されると、メダルが水平通路３８ｂを通過できず下方に落下し、払い出しシュート３９を介して受け皿３４に払い出される。セレクタ４０は、通常は抑え位置に保持されており、エラー発生時や、リールの回転中（遊技中）などに落下位置へ移動される。
【００２２】
第１メダル検知センサ４１は、上流側センサ４４と下流側センサ４６とから構成されている。上流側センサ４４は、赤外線センサからなり、赤外光を発光する発光部４４ａと、発光部４４ａからの赤外光を受光する受光部４４ｂと、発光部４４ａからの赤外光を受光部４４ｂへ向けて反射する反射板４４ｃとを備えている。そして、上流側センサ４４は、発光部４４ａからの赤外光が遮られることなく受光部４４ｂに到達している状態ではオフとなり、発光部４４ａからの赤外光が水平通路３８ｂを通過するメダルによって遮られて受光部４４ｂに到達しない状態ではオンとなる。
【００２３】
下流側センサ４６も上流側センサ４４と同様に赤外線センサからなり、発光部４６ａと受光部４６ｂと反射板４６ｃとを備えている。そして、下流側センサ４６は、発光部４６ａからの赤外光が遮られることなく受光部４６ｂに到達している状態ではオフとなり、発光部４６ａからの赤外光が水平通路３８ｂを通過するメダルによって遮られて受光部４６ｂに到達しない状態ではオンとなる。
【００２４】
他方、第２メダル検知センサ４２は、近接センサからなる。第２メダル検知センサ４２は、検知部４２ａを備え、この検知部４２ａを水平通路３８ｂに向けた状態で配置されている。そして、第２メダル検知センサ４２は、検知部４２ａの前方にメダルが存在しない状態ではオフとなり、検知部４２ａの前方にメダルが存在している状態ではオンとなる。
【００２５】
また、図４、図５に示すように、水平通路３８ｂには、第２メダル検知センサ４２を移動自在に保持するセンサ移動機構４８が設けられている。センサ移動機構４８は、第２メダル検知センサ４２が取り付けられたベース板５０と、ベース板５０を図４に示す第１位置と図５に示す第２位置との間で水平通路３８ｂに沿ってスライド自在に保持する上下一対のスライド溝５２と、ベース板５０を第１位置へ向けて付勢するバネ５４と、一端がベース板５０に取り付けられたワイヤ５６と、ワイヤ５６の他端の巻き取り及び巻き戻しを行うリール５８と、リール５８を回転させるリールモータ６０とから構成される。そして、センサ移動機構４８は、リールモータ６０によりリール５８を回転させてワイヤ５６の巻き取り及び巻き戻しを行うことで、ベース板５０とともに第２メダル検知センサ４２を第１位置と第２位置との間で移動させる。
【００２６】
図６に示すように、スロットマシン１０の内部には、スロットマシン１０の各部を統括的に駆動制御する制御部７０が設けられている。制御部７０には、前述した第１メダル検知センサ４１や、第２メダル検知センサ４２、リールモータ６０など遊技機の各部が接続されている。
【００２７】
また、制御部７０には、第１メダル検知センサ４１から入力される信号に基づいて、正規なメダルが投入されたか否かを判定する第１判定部７２と、リールモータ６０を制御して第２メダル検知センサ４２を移動させるセンサ駆動部（センサ駆動手段）７４と、第２メダル検知センサ４２から入力される信号に基づいて、正規なメダルが投入されたか否かを判定する第２判定部（不正判定手段）７６とが設けられている。
【００２８】
第１判定部７２は、図７に示すように、上流側センサ４４、下流側センサ４６の順で各センサがオンとなり、両方のセンサが同時にオンである状態を経て、上流側センサ４４、下流側センサ４６の順で各センサがオフとなったときに、正規なメダルが投入されたと判定し、これ以外の態様で上流側センサ４４や下流側センサ４６がオンまたはオフした場合、不正と判定する。
【００２９】
センサ駆動部７４は、予め設定された所定枚数（以下、所定枚数が２０枚である例で説明を行う）のメダルが連続してメダル投入口２４に投入されたか否かを監視している。具体的には、第１判定部７２が正規なメダルが投入されたと判定してから次に第１判定部７２が正規なメダルが投入されたと判定するまでの時間が一定時間内（例えば、０．２秒以内）である状態が１９回連続したか否かを監視している。
【００３０】
そして、センサ駆動部７４は、２０枚のメダルが連続して投入されたことを検知した場合、この２０枚目のメダルを追従するように第２メダル検知センサ４２を第１位置から第２位置へと向けて移動させる。具体的には、第１判定部７２が２０枚目のメダルを正規なメダルと判定してから所定時間経過した後、第２メダル検知センサ４２を所定速度で第１位置から第２位置へと向けて移動させる。
【００３１】
所定時間は、２０枚目のメダルが下流側センサ４６の前を通過してから、このメダルの中心部が第１位置に配置された第２メダル検知センサ４２に到達するまでの時間とほぼ等しくなるように、下流側センサ４６と第１位置に配置された第２メダル検知センサ４２との間の距離や、水平通路３８ｂを流下するメダルの流下速度の平均値などに基づいて算出される。また、所定速度は、水平通路３８ｂを流下するメダルの流下速度の平均値とほぼ等しく設定されている。これにより、第２メダル検知センサ４２が２０枚目のメダルを追従するように第１位置から第２位置へと移動する。
【００３２】
第２判定部７６は、２０枚のメダルが連続して投入されたことを検知された際に作動し、第２メダル検知センサ４２が第１位置から第２位置へ向けて移動を開始してから第２位置に到達するまでの間、第２メダル検知センサ４２が継続してオンとなっているか否かを監視する。そして、第２判定部７６は、第１位置から第２位置への移動中、第２メダル検知センサ４２が継続してオンであった場合、正規なメダルが投入されたと判定し、これ以外の態様で第２メダル検知センサ４２がオンまたはオフした場合、不正と判定する。
【００３３】
制御部７０は、第２メダル検知センサ４２が停止されている状態では（２０枚のメダルが連続投入されるまで）、第１判定部７２が正規なメダルが投入されたと判定したときに、このメダルを遊技に使用可能なメダルとしてカウントする。また、制御部７０は、第２メダル検知センサ４２が第１位置から第２位置へ向けて移動された場合（２０枚のメダルが連続投入された場合）、第１判定部７２、及び、第２判定部７６の両方で正規なメダルが投入されたと判定されたときに、このメダルを遊技に使用可能なメダルとしてカウントする。他方、制御部７０は、第１判定部７２、第２判定部７６のいずれかにより不正と判定されると、液晶ディスプレイ２０に報知メッセージを表示するとともに、スピーカ２２から報知音を出力してこの旨を報知する。
【００３４】
以下、上記構成による本発明の作用について、図８に示すフローチャートをもとに説明する。スロットマシン１０では、第１メダル検知センサ４１がメダルを検知、すなわち、上流側センサ４４、下流側センサ４６のいずれかがオンとなると、上流側センサ４４、下流側センサ４６のオンオフの態様に基づいて、正規なメダルが投入されたかまたは不正かを判定する。
【００３５】
この結果、不正と判定されると、この旨が報知され、正規なメダルが投入されたと判定されると、このメダルが連続投入された２０枚目のメダルであるか否かが調べられる。そして、２０枚目のメダルでない場合は、このメダルが遊技に使用可能なメダルとしてカウントされる。
【００３６】
他方、正規なメダルと判定されたメダルが２０枚目のメダルである場合は、このメダルを追従するように第２メダル検知センサ４２が第１位置から第２位置へと向けて移動される。そして、この間、第２メダル検知センサ４２が継続してオンであった場合に、正規なメダルが投入されたと判定され、このメダルが、遊技に使用可能なメダルとしてカウントされる。他方、第１位置から第２位置への移動の間に、第２メダル検知センサ４２がオフとなった場合、不正と判定されて、この旨が報知される。
【００３７】
このように、スロットマシン１０によれば、第２メダル検知センサをメダルに追従するように移動させ、この間にメダルを検知できなくなったときに不正と判定するようにしたので、セルロイド板などを用いた不正行為を防止できる。また、第１メダル検知センサと第２メダル検知センサとの２つのセンサにより不正か否かを判定するので、１つのメダル検知センサにより不正か否かを検知する場合と比較してより確実に不正を検知できる。
【００３８】
さらに、所定枚数のメダルが連続投入されたときに第２メダル検知センサを移動させるようにしたので、下流側へ移動した第２メダル検知センサを短時間で元の位置に戻す必要がなく、メダル検知センサをメダルの動きに追従させることが簡単である。また、第１センサを上流側、下流側の２つセンサから構成し、これら２つのセンサからの信号に基づいて不正か否かを判定するのでより確実に不正を検知できる。
【００３９】
なお、本発明は、上記実施形態に限定されるものではなく、細部の構成は適宜変更できる。例えば、上記実施形態では、所定枚数が２０枚である例で説明をしたが、所定枚数は適宜変更してよい。同様に、一定時間、所定時間、所定速度も適宜変更してよい。
【００４０】
また、上記実施形態では、所定枚数のメダルが連続投入された際に、第２メダル検知センサを移動させる例で説明をしたが、本発明はこれに限定されるものではない。メダルが投入される毎に第２メダル検知センサを移動させてもよい。
【００４１】
さらに、上記実施形態では、第１メダル検知センサとして赤外線センサを用いる例で説明をしたが、第１メダル検知センサとして近接センサを用いてもよい。また、第２メダル検知センサとして近接センサを用いる例で説明をしたが、第２メダル検知センサとして赤外線センサを用いてもよい。
【００４２】
また、上記実施形態では、第１メダル検知センサを２つのセンサから構成する例で説明をしたが、本発明はこれに限定されるものではない。第１メダル検知センサを１つのセンサから構成してもよい。
【符号の説明】
【００４３】
１０  スロットマシン（遊技機）
３８  メダル通路
４１  第１メダル検知センサ
４２  第２メダル検知センサ
４４  上流側センサ
４６  下流側センサ
４８  センサ移動機構
７０  制御部
７２  第１判定部
７４  センサ駆動部（センサ駆動手段）
７６  第２判定部（不正判定手段）
【図１】
2010207364.tif 000003
【図２】
2010207364.tif 000004
【図３】
2010207364.tif 000005
【図４】
2010207364.tif 000006
【図５】
2010207364.tif 000007
【図６】
2010207364.tif 000008
【図７】
2010207364.tif 000009
【図８】
2010207364.tif 000010